【手続補正書】
【提出日】平成17年4月19日(2005.4.19)
【手続補正１】
【補正対象書類名】明細書
【補正対象項目名】特許請求の範囲
【補正方法】変更
【補正の内容】
【特許請求の範囲】
【請求項１】
外部楽音信号を入力する入力手段と、
少なくとも１つ以上の楽音波形データを記憶する楽音波形データ記憶手段と、
少なくとも１つ以上の楽音発生タイミング情報を記憶する楽音発生タイミング情報記憶手段と、
前記入力手段に入力された外部楽音信号に基づく楽音波形データを前記楽音波形データ記憶手段に記憶するとともに、該楽音波形データの記憶タイミングを示す楽音発生タイミング情報を前記楽音発生タイミング情報記憶手段に記憶する記憶制御手段と、
前記楽音発生タイミング情報記憶手段に記憶されている楽音発生タイミング情報を、該楽音発生タイミング情報が示すタイミングで順次再生する再生手段と、
前記再生手段により再生された外部楽音信号に基づく楽音発生タイミング情報に応じて前記楽音波形データ記憶手段に記憶されている外部楽音信号に対応する楽音波形データを読み出すことにより、前記入力手段に入力された外部楽音信号に対応する楽音信号を生成する楽音生成手段と
を有する電子楽器。
【請求項２】
外部楽音信号を入力する入力手段と、
少なくとも１つ以上の楽音波形データを記憶する楽音波形データ記憶手段と、
楽音の生成／停止を指示する演奏情報を発生する演奏情報発生手段と、
少なくとも１つ以上の楽音発生タイミング情報を記憶する楽音発生タイミング情報記憶手段と、
前記演奏情報発生手段により発生された演奏情報に応じて、該演奏情報の発生タイミングを示す楽音発生タイミング情報を前記楽音発生タイミング情報記憶手段に記憶する第１の記憶制御手段と、
前記入力手段に入力された外部楽音信号に基づく楽音波形データを前記楽音波形データ記憶手段に記憶するとともに、該楽音波形データの記憶タイミングを示す楽音発生タイミング情報を前記楽音発生タイミング情報記憶手段に記憶する第２の記憶制御手段と、
前記楽音発生タイミング情報記憶手段に記憶されている楽音発生タイミング情報を、該楽音発生タイミング情報が示すタイミングで順次再生する再生手段と、
前記再生手段により再生された外部楽音信号に基づく楽音発生タイミング情報に応じて前記楽音波形データ記憶手段に記憶されている外部楽音信号に対応する楽音波形データを読み出すことにより、前記入力手段に入力された外部楽音信号に対応する楽音信号を生成する楽音生成手段と
を有する電子楽器。
【請求項３】
請求項２に記載の電子楽器において、
前記楽音波形データ記憶手段は、外部楽音信号に基づく楽音波形データを記憶するとともに、予め楽音波形データを記憶しており、
前記楽音生成手段は、さらに、前記演奏情報発生手段により発生された演奏情報に応じて前記楽音波形データ記憶手段に予め記憶されている楽音波形データを読み出すことにより演奏情報に対応する楽音信号を生成し、さらにまた、前記再生手段により再生された演奏情報に基づく楽音発生タイミング情報に応じて前記楽音波形データ記憶手段に予め記憶されている楽音波形データを読み出すことにより演奏情報に基づく楽音発生タイミング情報に対応する楽音信号を生成する
ものである電子楽器。
【請求項４】
請求項１に記載の電子楽器において、
前記楽音発生タイミング情報記憶手段は、複数のトラックを有しており、
さらに、
前記楽音発生タイミング情報記憶手段の前記記憶制御手段により楽音発生タイミング情報が記憶される任意の第１のトラックを指定するトラック指定手段と
を有し、
前記再生手段は、前記楽音発生タイミング情報記憶手段の前記第１のトラックとは異なる第２のトラックの楽音発生タイミング情報を再生する
ものである電子楽器。
【請求項５】
請求項２に記載の電子楽器において、
前記楽音発生タイミング情報記憶手段は、複数のトラックを有しており、
さらに、
前記楽音発生タイミング情報記憶手段の前記第１の記憶制御手段あるいは前記第２の記憶制御手段により楽音発生タイミング情報が記憶される任意の第１のトラックを指定するトラック指定手段と
を有し、
前記再生手段は、前記楽音発生タイミング情報記憶手段の前記第１のトラックとは異なる第２のトラックの楽音発生タイミング情報を再生する
ものである電子楽器。
【請求項６】
請求項２に記載の電子楽器において、
前記楽音発生タイミング情報記憶手段は、複数のトラックを有しており、
さらに、
前記楽音発生タイミング情報記憶手段の任意の少なくとも第１のトラックと第２のトラックとを指定するトラック指定手段と、
少なくとも第１の記憶モードと第２の記憶モードとのうちのいずれかを任意に指定する記憶モード指定手段と
を有し、
前記第１の記憶制御手段は、前記記憶モード指定手段により第１の記憶モードが指定されたときに、前記トラック指定手段により指定された第１のトラックに楽音発生タイミング情報を記憶するものであり、
前記第２の記憶制御手段は、前記記憶モード指定手段により第２の記憶モードが指定されたときに、前記楽音波形データ記憶手段に楽音波形データを記憶するとともに、前記トラック指定手段により指定された第２のトラックに楽音発生タイミング情報を記憶するものであり、
前記再生手段は、前記楽音発生タイミング情報記憶手段の第１のトラックに記憶された楽音発生タイミング情報と前記楽音発生タイミング情報記憶手段の第２のトラックに記憶された楽音発生タイミング情報とを同期して再生する
ものである電子楽器。
【請求項７】
請求項１に記載の電子楽器において、
前記記憶制御手段は、任意に指定された記憶タイミングから記憶を開始するものであり、外部楽音信号に基づく楽音波形データの記憶に応じて、該任意に指定された記憶タイミングを示す楽音発生タイミング情報を前記楽音発生タイミング情報記憶手段に記憶する
ものである電子楽器。
【請求項８】
請求項２に記載の電子楽器において、
前記第２の記憶制御手段は、任意に指定された記憶タイミングから記憶を開始するものであり、外部楽音信号に基づく楽音波形データの記憶に応じて、該任意に指定された記憶タイミングを示す楽音発生タイミング情報を前記楽音発生タイミング情報記憶手段に記憶する
ものである電子楽器。
【請求項９】
請求項１または２のいずれか１項に記載の電子楽器において、
前記楽音発生タイミング情報記憶手段に記憶される楽音発生タイミング情報は、読み出される前記楽音波形データ記憶手段に記憶されている所定の楽音波形データを示す情報と、該楽音波形データの読出位置情報とを含む
ことを特徴とする電子楽器。
【請求項１０】
請求項９に記載の電子楽器において、
前記読出位置情報は、読み出される楽音波形データの読出開始位置を表すスタートポイントを含む
ことを特徴とする電子楽器。
【請求項１１】
請求項９に記載の電子楽器において、
前記読出位置情報は、読み出される楽音波形データのループの読出開始位置を表すループポイントを含む
ことを特徴とする電子楽器。
【手続補正２】
【補正対象書類名】明細書
【補正対象項目名】０００８
【補正方法】変更
【補正の内容】
【０００８】
【課題を解決するための手段】
上記目的を達成するために、本発明のうち請求項１に記載の発明は、外部楽音信号を入力する入力手段と、少なくとも１つ以上の楽音波形データを記憶する楽音波形データ記憶手段と、少なくとも１つ以上の楽音発生タイミング情報を記憶する楽音発生タイミング情報記憶手段と、上記入力手段に入力された外部楽音信号に基づく楽音波形データを上記楽音波形データ記憶手段に記憶するとともに、該楽音波形データの記憶タイミングを示す楽音発生タイミング情報を上記楽音発生タイミング情報記憶手段に記憶する記憶制御手段と、上記楽音発生タイミング情報記憶手段に記憶されている楽音発生タイミング情報を、該楽音発生タイミング情報が示すタイミングで順次再生する再生手段と、上記再生手段により再生された外部楽音信号に基づく楽音発生タイミング情報に応じて上記楽音波形データ記憶手段に記憶されている外部楽音信号に対応する楽音波形データを読み出すことにより、上記入力手段に入力された外部楽音信号に対応する楽音信号を生成する楽音生成手段とを有するようにしたものである。
従って、本発明のうち請求項１に記載の発明によれば、入力手段に入力された外部楽音信号に基づく楽音波形データを楽音波形データ記憶手段に記憶することができるとともに、当該楽音波形データの記憶タイミングを示す楽音発生タイミング情報を楽音発生タイミング情報記憶手段に記憶することができるようになる。
【手続補正３】
【補正対象書類名】明細書
【補正対象項目名】０００９
【補正方法】変更
【補正の内容】
【０００９】
また、本発明のうち請求項２に記載の発明は、外部楽音信号を入力する入力手段と、少なくとも１つ以上の楽音波形データを記憶する楽音波形データ記憶手段と、楽音の生成／停止を指示する演奏情報を発生する演奏情報発生手段と、少なくとも１つ以上の楽音発生タイミング情報を記憶する楽音発生タイミング情報記憶手段と、上記演奏情報発生手段により発生された演奏情報に応じて、該演奏情報の発生タイミングを示す楽音発生タイミング情報を上記楽音発生タイミング情報記憶手段に記憶する第１の記憶制御手段と、上記入力手段に入力された外部楽音信号に基づく楽音波形データを上記楽音波形データ記憶手段に記憶するとともに、該楽音波形データの記憶タイミングを示す楽音発生タイミング情報を上記楽音発生タイミング情報記憶手段に記憶する第２の記憶制御手段と、上記楽音発生タイミング情報記憶手段に記憶されている楽音発生タイミング情報を、該楽音発生タイミング情報が示すタイミングで順次再生する再生手段と、上記再生手段により再生された外部楽音信号に基づく楽音発生タイミング情報に応じて上記楽音波形データ記憶手段に記憶されている外部楽音信号に対応する楽音波形データを読み出すことにより、上記入力手段に入力された外部楽音信号に対応する楽音信号を生成する楽音生成手段とを有するようにしたものである。
従って、本発明のうち請求項２に記載の発明によれば、演奏情報発生手段により発生された演奏情報に応じた当該演奏情報の発生タイミングを示す楽音発生タイミング情報を楽音発生タイミング情報記憶手段に記憶することができ、かつ、入力手段に入力された外部楽音信号に基づく楽音波形データを楽音波形データ記憶手段に記憶することができるとともに、当該楽音波形データの記憶タイミングを示す楽音発生タイミング情報を楽音発生タイミング情報記憶手段に記憶することができるようになる。
【手続補正４】
【補正対象書類名】明細書
【補正対象項目名】００１１
【補正方法】変更
【補正の内容】
【００１１】
また、本発明のうち請求項３に記載の発明は、本発明のうち請求項２に記載の発明において、上記楽音波形データ記憶手段は、外部楽音信号に基づく楽音波形データを記憶するとともに、予め楽音波形データを記憶しており、上記楽音生成手段は、さらに、上記演奏情報発生手段により発生された演奏情報に応じて上記楽音波形データ記憶手段に予め記憶されている楽音波形データを読み出すことにより演奏情報に対応する楽音信号を生成し、さらにまた、上記再生手段により再生された演奏情報に基づく楽音発生タイミング情報に応じて上記楽音波形データ記憶手段に予め記憶されている楽音波形データを読み出すことにより演奏情報に基づく楽音発生タイミング情報に対応する楽音信号を生成するようにしたものである。
従って、本発明のうち請求項３に記載の発明によれば、演奏情報発生手段により発生された演奏情報に応じて楽音波形データ記憶手段に予め記憶されている楽音波形データを読み出すことにより演奏情報に対応する楽音信号を生成することができ、また、再生手段により再生された演奏情報に基づく楽音発生タイミング情報に応じて楽音波形データ記憶手段に予め記憶されている楽音波形データを読み出すことにより演奏情報に基づく楽音発生タイミング情報に対応する楽音信号を生成することができる。
【手続補正５】
【補正対象書類名】明細書
【補正対象項目名】００１２
【補正方法】変更
【補正の内容】
【００１２】
また、本発明のうち請求項４に記載の発明は、本発明のうち請求項１に記載の発明において、上記楽音発生タイミング情報記憶手段は、複数のトラックを有しており、さらに、上記楽音発生タイミング情報記憶手段の上記記憶制御手段により楽音発生タイミング情報が記憶される任意の第１のトラックを指定するトラック指定手段とを有し、上記再生手段は、上記楽音発生タイミング情報記憶手段の上記第１のトラックとは異なる第２のトラックの楽音発生タイミング情報を再生するようにしたものである。
従って、本発明のうち請求項４に記載の発明によれば、第２のトラックに記憶されている楽音発生タイミング情報に基づく楽音信号を生成しながら、外部楽音信号による楽音発生タイミング情報が第１のトラックに記憶されることになる。
【手続補正６】
【補正対象書類名】明細書
【補正対象項目名】００１３
【補正方法】変更
【補正の内容】
【００１３】
また、本発明のうち請求項５に記載の発明は、本発明のうち請求項２に記載の発明において、上記楽音発生タイミング情報記憶手段は、複数のトラックを有しており、さらに、上記楽音発生タイミング情報記憶手段の上記第１の記憶制御手段あるいは上記第２の記憶制御手段により楽音発生タイミング情報が記憶される任意の第１のトラックを指定するトラック指定手段とを有し、上記再生手段は、上記楽音発生タイミング情報記憶手段の上記第１のトラックとは異なる第２のトラックの楽音発生タイミング情報を再生するようにしたものである。
従って、本発明のうち請求項５に記載の発明によれば、第２のトラックに記憶されている楽音発生タイミング情報に基づく楽音信号を生成しながら、演奏情報発生手段により発生された演奏情報に応じた当該演奏情報の発生タイミングを示す楽音発生タイミング情報あるいは外部楽音信号による楽音発生タイミング情報が第１のトラックに記憶されることになる。
【手続補正７】
【補正対象書類名】明細書
【補正対象項目名】００１４
【補正方法】変更
【補正の内容】
【００１４】
また、本発明のうち請求項６に記載の発明は、本発明のうち請求項２に記載の発明において、上記楽音発生タイミング情報記憶手段は、複数のトラックを有しており、さらに、上記楽音発生タイミング情報記憶手段の任意の少なくとも第１のトラックと第２のトラックとを指定するトラック指定手段と、少なくとも第１の記憶モードと第２の記憶モードとのうちのいずれかを任意に指定する記憶モード指定手段とを有し、上記第１の記憶制御手段は、上記記憶モード指定手段により第１の記憶モードが指定されたときに、上記トラック指定手段により指定された第１のトラックに楽音発生タイミング情報を記憶するものであり、上記第２の記憶制御手段は、上記記憶モード指定手段により第２の記憶モードが指定されたときに、上記楽音波形データ記憶手段に楽音波形データを記憶するとともに、上記トラック指定手段により指定された第２のトラックに楽音発生タイミング情報を記憶するものであり、上記再生手段は、上記楽音発生タイミング情報記憶手段の第１のトラックに記憶された楽音発生タイミング情報と上記楽音発生タイミング情報記憶手段の第２のトラックに記憶された楽音発生タイミング情報とを同期して再生するようにしたものである。
従って、本発明のうち請求項６に記載の発明によれば、第１の記憶モードが指定されたときには第１のトラックに楽音発生タイミング情報が記憶され、第２の記憶モードが指定されたときには楽音波形データ記憶手段に楽音波形データが記憶されるとともに、第２のトラックに楽音発生タイミング情報が記憶されることになり、第１のトラックに記憶された楽音発生タイミング情報と第２のトラックに記憶された楽音発生タイミング情報とを同期して再生することができるようになる。
【手続補正８】
【補正対象書類名】明細書
【補正対象項目名】００１５
【補正方法】変更
【補正の内容】
【００１５】
また、本発明のうち請求項７に記載の発明は、本発明のうち請求項１に記載の発明において、上記記憶制御手段は、任意に指定された記憶タイミングから記憶を開始するものであり、外部楽音信号に基づく楽音波形データの記憶に応じて、該任意に指定された記憶タイミングを示す楽音発生タイミング情報を上記楽音発生タイミング情報記憶手段に記憶するようにしたものである。
従って、本発明のうち請求項７に記載の発明によれば、任意に指定された記憶タイミングを示す楽音発生タイミング情報を楽音発生タイミング情報記憶手段に記憶させることができる。
【手続補正９】
【補正対象書類名】明細書
【補正対象項目名】００１６
【補正方法】変更
【補正の内容】
【００１６】
また、本発明のうち請求項８に記載の発明は、本発明のうち請求項２に記載の発明において、上記第２の記憶制御手段は、任意に指定された記憶タイミングから記憶を開始するものであり、外部楽音信号に基づく楽音波形データの記憶に応じて、該任意に指定された記憶タイミングを示す楽音発生タイミング情報を上記楽音発生タイミング情報記憶手段に記憶するようにしたものである。
従って、本発明のうち請求項８に記載の発明によれば、任意に指定された記憶タイミングを示す楽音発生タイミング情報を楽音発生タイミング情報記憶手段に記憶させることができる。
【手続補正１０】
【補正対象書類名】明細書
【補正対象項目名】００１７
【補正方法】変更
【補正の内容】
【００１７】
また、本発明のうち請求項９に記載の発明は、本発明のうち請求項１または２のいずれか１項に記載の電子楽器において、上記楽音発生タイミング情報記憶手段に記憶される楽音発生タイミング情報は、読み出される上記楽音波形データ記憶手段に記憶されている所定の楽音波形データを示す情報と、該楽音波形データの読出位置情報とを含むようにしたものである。
【手続補正１１】
【補正対象書類名】明細書
【補正対象項目名】００１８
【補正方法】変更
【補正の内容】
【００１８】
また、本発明のうち請求項１０に記載の発明は、本発明のうち請求項９に記載の発明において、上記読出位置情報は、読み出される楽音波形データの読出開始位置を表すスタートポイントを含むようにしたものである。
また、本発明のうち請求項１１に記載の発明は、本発明のうち請求項９に記載の発明において、上記読出位置情報は、読み出される楽音波形データのループの読出開始位置を表すループポイントを含むようにしたものである。